(57)【特許請求の範囲】
【請求項１】
器具本体の片側口金ソケットに接続されて使用されるコンパクト蛍光灯形ＬＥＤランプであって、
一方向に長手な板状で、ＬＥＤ素子が形成されたＬＥＤ基板と、
前記ＬＥＤ基板を搭載する支持板及び前記支持板のＬＥＤ基板搭載面と反対側面から突設された複数のフィンを備えた前記ＬＥＤ基板の長手方向に長手な本体と、
前記本体のＬＥＤ基板搭載側に被せられるドーム形状のカバーと、
前記本体に前記カバーが被せられた状態で長手方向一方の端部に取付けられるエンド側キャップと、
前記片側口金ソケットに接続されるピンが設けられ、前記本体に前記カバーが被せられた状態で前記エンド側キャップと反対側の長手方向他方の端部に取付けられるソケット側キャップと
を備え、
前記フィンは、前記本体の長手方向に長手であり、
前記ピンは、導電性の１対のピンと非導電性のピンからなる
ことを特徴とするコンパクト蛍光灯形ＬＥＤランプ。
【請求項２】
器具本体の片側口金ソケットに接続されて使用されるコンパクト蛍光灯形ＬＥＤランプであって、
一方向に長手な板状で、ＬＥＤ素子が形成されたＬＥＤ基板と、
前記ＬＥＤ基板を搭載する支持板及び前記支持板のＬＥＤ基板搭載面と反対側面から突設された複数のフィンを備えた前記ＬＥＤ基板の長手方向に長手な本体と、
前記本体のＬＥＤ基板搭載側に被せられるドーム形状のカバーと、
前記本体に前記カバーが被せられた状態で長手方向一方の端部に取付けられるエンド側キャップと、
前記片側口金ソケットに接続されるピンが設けられ、前記本体に前記カバーが被せられた状態で前記エンド側キャップと反対側の長手方向他方の端部に取付けられるソケット側キャップと
を備え、
前記ピンは、導電性の１対のピンと非導電性のピンからなる
ことを特徴とするコンパクト蛍光灯形ＬＥＤランプ。
【請求項３】
前記ピンは同等形状の４本のピンであり、
前記４本のピンは方形の四隅に配置するようにして前記ソケット側キャップから外部に突設され、
前記方形の一つの対角を為す２本のピンを導電性とすると共に残りの対角を為す２本のピンを非導電性とした
ことを特徴とする請求項１または２に記載のコンパクト蛍光灯形ＬＥＤランプ。
【請求項４】
前記カバーが被せられた状態での前記カバー及び前記本体の外形が扁平な長円断面形状であることを特徴とする請求項１乃至３の何れか一項に記載のコンパクト蛍光灯形ＬＥＤランプ。
【請求項５】
前記本体には、規定の円弧断面を有し且つ外部に開口して、前記エンド側キャップ及び前記ソケット側キャップの少なくとも何れか一方を固定するためのネジが螺合されるネジ用溝が形成された
ことを特徴とする請求項１乃至４の何れか一項に記載のコンパクト蛍光灯形ＬＥＤランプ。
【請求項６】
前記ネジ用溝は、
前記本体の長手方向に沿って前記本体の外周面に連続的に形成されている
ことを特徴とする請求項５に記載のコンパクト蛍光灯形ＬＥＤランプ。
【請求項７】
前記ネジ用溝は、前記ネジの螺合に伴って雌ネジがセルフタッピングされる
ことを特徴とする請求項６に記載のコンパクト蛍光灯形ＬＥＤランプ。
【発明の詳細な説明】
【技術分野】
【０００１】
本発明は、コンパクト形蛍光灯と同等又は類似形状のコンパクト蛍光灯形ＬＥＤランプに関し、例えば天井位置に取付けられた器具本体に装着して使用されるコンパクト蛍光灯形ＬＥＤランプに好適なものである。
【背景技術】
【０００２】
照明に用いる発光源として発光ダイオード（以下、ＬＥＤ（Light Emitting Diode））が注目され、種々のＬＥＤを用いた発光モジュール（以下、ＬＥＤモジュールともいう）がランプとして開発されている。室内照明には、例えば下記特許文献１や特許文献２に記載されるように、直管蛍光灯（ライン蛍光灯）に代えてライン型のＬＥＤモジュールからなるライン蛍光灯形ＬＥＤランプが開発されている。これらの特許文献に記載されるライン蛍光灯形ＬＥＤランプは、天井位置に取付けられた器具本体に装着して使用されるものである。このようなライン蛍光灯形ＬＥＤランプでは、ＬＥＤが一方向に連続して配置されたＬＥＤ基板を本体に取付け、その本体に半透明なカバーを取付けて構成される。
【先行技術文献】
【特許文献】
【０００３】
【特許文献１】国際公開第２０１４／０４５５２３号
【特許文献２】特開２０１２−２４３７５６号公報
【発明の概要】
【発明が解決しようとする課題】
【０００４】
ところで、ＬＥＤモジュールを用いたＬＥＤランプは、ライン蛍光灯形の他に、コンパクト蛍光灯形のものも開発されている。このコンパクト蛍光灯形ＬＥＤランプに要求される仕様としては、コンパクト蛍光灯が扁平であるため、それと同等の扁平形状であることや、既存のコンパクト蛍光灯用器具本体に装着可能であることが求められる。特に、既存のコンパクト蛍光灯用器具本体に装着する場合、ＬＥＤモジュールと蛍光灯では、電源電力の形態が異なるので、ＬＥＤモジュールからなるコンパクト蛍光灯形ＬＥＤランプには、適切な電源電力を得ることができる電源回路が必要である。この電源回路をコンパクト蛍光灯形ＬＥＤランプの外部に配置する場合、ランプ自体の扁平化に合わせて、製造工数の低減化やコストの低廉化の要求がある。
【０００５】
本発明は、上記のような問題点に着目してなされたものであり、ＬＥＤモジュール用の電源回路を外部に配置する場合に、ランプ自体の扁平化に合わせて、製造工数の低減化やコストの低廉化を可能とするコンパクト蛍光灯形ＬＥＤランプの提供を目的とするものである。
【課題を解決するための手段】
【０００６】
上記課題を解決するために、本発明の一態様によれば、器具本体の片側口金ソケットに接続されて使用されるコンパクト蛍光灯形ＬＥＤランプであって、一方向に長手な板状で、ＬＥＤ素子が形成されたＬＥＤ基板と、ＬＥＤ基板を搭載する支持板及び支持板のＬＥＤ基板搭載面と反対側面から突設された複数のフィンを備えたＬＥＤ基板の長手方向に長手な本体と、本体のＬＥＤ基板搭載側に被せられるドーム形状のカバーと、本体にカバーが被せられた状態で長手方向一方の端部に取付けられるエンド側キャップと、片側口金ソケットに接続されるピンが設けられ、本体に前記カバーが被せられた状態でエンド側キャップと反対側の長手方向他方の端部に取付けられるソケット側キャップとを備え、フィンは、本体の長手方向に長手であり、ＬＥＤ基板におけるＬＥＤ素子の形成部位に相当する本体幅方向中央部でピッチが小さく且つ本体幅方向外側部でピッチが大きいコンパクト蛍光灯形ＬＥＤランプが提供される。
【発明の効果】
【０００７】
本発明のコンパクト蛍光灯形ＬＥＤランプでは、ランプ自体を扁平化することができると共に、構造の簡素化を可能として、これにより製造工数の低減化やコストの低廉化を促進することが可能となる。
【図面の簡単な説明】
【０００８】
【図１】本発明のコンパクト蛍光灯形ＬＥＤランプの一実施形態を示す斜視図である。
【図２】図１のコンパクト蛍光灯形ＬＥＤランプの分解斜視図である。
【図３】図１のコンパクト蛍光灯型ランプの断面図である。
【図４】図１のコンパクト蛍光灯形ＬＥＤランプのエンド側キャップの外側を示す斜視図である。
【図５】図１のコンパクト蛍光灯形ＬＥＤランプのエンド側キャップの内側を示す斜視図である。
【図６】図１のコンパクト蛍光灯形ＬＥＤランプのソケット側キャップの内側を示す斜視図である。
【図７】図１のコンパクト蛍光灯形ＬＥＤランプのソケット側キャップの外側を示す斜視図である。
【発明を実施するための形態】
【０００９】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
以下に、本発明のコンパクト蛍光灯形ＬＥＤランプの一実施形態について図面を参照しながら説明する。図１には、この実施形態のコンパクト蛍光灯形ＬＥＤランプの全体斜視図、図２には、図１のコンパクト蛍光灯形ＬＥＤランプの分解斜視図、図３には、図１のコンパクト蛍光灯型ランプの断面図を示す。この実施形態のコンパクト蛍光灯形ＬＥＤランプは、例えば被取付位置である天井位置に取付けられた器具本体に装着されるものであるが、机上スタンドのような器具本体に装着して使用することもできる。このコンパクト蛍光灯形ＬＥＤランプは、例えばＪＩＳＣ７７０９に規定されるＧＸ１０ｑのような４ピンの片側口金ソケットに接続して使用するものである。
【００１０】
この実施形態のコンパクト蛍光灯形ＬＥＤランプを装着する器具本体は、例えば天井位置に取付けられている既設のものであってもよいし、新設のものであってもよい。また、既設のものを一部改造して用いることも可能である。この実施形態では、ランプの発光源としてＬＥＤモジュールを用いる。コンパクト形蛍光灯は、周知のように、交流電力を電源として発光するのに対し、ダイオードであるＬＥＤモジュールは直流電力を電源として発光する。屋内配線は、一般的に商用電源、即ち交流電力電源であるから、ＬＥＤモジュールを用いるコンパクト蛍光灯形ＬＥＤランプでは、電源回路として交流−直流変換回路を必要とする。この実施形態では、ランプ自身には電源回路を内蔵せず、例えば電源回路を器具本体内部、つまりランプ外部に配置する形態のコンパクト蛍光灯形ＬＥＤランプである。
【００１１】
この実施形態のコンパクト蛍光灯形ＬＥＤランプは、一方向に長手で且つＬＥＤ素子１が形成されたＬＥＤ基板２と、このＬＥＤ基板２が搭載される本体３と、この本体３のＬＥＤ基板２搭載側に被せる扁平ドーム形状のカバー４と、本体３にカバー４が被せられた状態で長手方向一方の端部に取付けられるエンド側キャップ５と、本体３にカバー４が被せられた状態でエンド側キャップ５と反対側の長手方向他方の端部に取付けられるソケット側キャップ６とを備えて構成される。
ＬＥＤ基板２の上面には、多数のＬＥＤ素子１が形成されている。この実施形態では、ＬＥＤ基板２の幅方向中央部に、基板長手方向に沿うようにして多数のＬＥＤ素子１が二列形成されている。これらの各ＬＥＤ素子１の電極は図示しない銅箔を介して一連に連結され、銅箔は基板の長手方向一方の端部に延長されて、その端部に連結されたＬＥＤ基板側コネクタ７が基板の長手方向一方の端部に固定されている。このＬＥＤ基板２上には、ＬＥＤ素子１の部分をくり抜いた反射板８が搭載される。なお、ＬＥＤ基板には、ＬＥＤ素子が基板の幅いっぱいに形成されたものも存在する。
【００１２】
この実施形態の本体３は、例えばアルミ合金などの金属製で、反射板８を含めてＬＥＤ基板２を搭載する支持板３ａが設けられている。例えば図３の支持板３ａの図示上面にＬＥＤ基板２及び反射板８が搭載される場合、このＬＥＤ基板搭載面と反対側の面（下面）から複数のフィン８ａ、８ｂが突設されている。これらのフィン８ａ、８ｂは、ＬＥＤ基板２の発熱を外部に放熱するものである。一方向に長手なＬＥＤ基板２を搭載する支持板３ａも同方向に長手であり、フィン８ａ、８ｂも同方向に長手である。支持板３ａの幅方向を本体３の幅方向としたとき、これら複数のフィン８ａ、８ｂのうち、ＬＥＤ基板２においてＬＥＤ素子１が形成されている部分に相当する本体幅方向中央部の中央部フィン８ａは形成ピッチが小さく（密度が高く）、本体幅方向外側部の外側部フィン８ｂは形成ピッチが大きい（密度が小さい）。なお、外側部フィン８ｂも中央部フィン８ａも、フィンの突出先端部、つまり図３の下端部の高さは同じ（フィンの長さは同じ）である。また、外側部フィン８ｂの形成部位よりも本体幅方向外側には、中央部フィン８ａや外側部フィン８ｂの突出先端部の高さから図３の斜め上方に向けて、断面円弧状の円弧側面部３ｂが形成されている。
【００１３】
支持板３ａのＬＥＤ基板搭載面は平坦であり、図３の左右方向、即ち本体幅方向両側に、ＬＥＤ基板２及び反射板８の幅方向両端部を押さえるための押え部９が支持板３ａの図示上方に規定の隙間を空けて突出するように形成されている。即ち、ＬＥＤ基板２及び反射板８は、この押え部９と支持板３ａとの隙間に滑り込むようにして本体長手方向に挿入される。また、押え部９の本体幅方向両側にあって押え部９より図示やや下方には、本体３から本体幅方向外側に張り出すようにして、カバー４の爪部１０が係合する係合部１１が円弧側面部３ｂから延長されて図示斜め上向きに形成されている。また、押え部９の本体幅方向外側からは係合部１１の図示上方に向けて本体側爪部１２が突出形成されている。従って、カバー４を本体３の支持板３ａ側に被せると、後述するように、カバー４の爪部１０が押え部９の本体側爪部１２の斜面を滑って係合部１１と本体３との隙間に入り込み、係合部１１の本体幅方向内側面にカバー４の爪部１０が押し当たって本体３とカバー４が係合する。なお、本体側爪部１２の下方で且つ係合部１１の本体幅方向内側には、本体３の本体幅方向外側面に、後述するネジ１４を螺合するためのネジ用溝１３が本体３の長手に沿って連続的に形成されており、このネジ用溝１３は、規定の円弧断面を有し且つ本体３の外部に開口している。
【００１４】
カバー４は、例えばポリカーボネートなどの半透明な樹脂製で、長板状の天板４ａと、この天板４ａの本体幅方向両側から図示下方に向けて連続する湾曲板４ｂと、両湾曲板４ｂの図示下端部から本体幅方向内側に向けて突出するように形成された爪部１０とを備えて一体的に構成される。このカバー４は、本体３の支持板３ａ側に被せる扁平なドーム形状なので、長さや幅は本体３と同等又はほぼ同等である。このカバー４は、半透明な樹脂製なので、内部でＬＥＤ基板２が発光すると、外部に向けて光が漏れ、ＬＥＤモジュールを構成する。このカバー４を本体３の支持板３ａ側に被せると、前述したように、カバー４の爪部１０が押え部９の本体側爪部１２の斜面を滑って係合部１１と本体３との隙間に入り込み、係合部１１の本体幅方向内側面にカバー４の爪部１０が押し当たって本体３とカバー４が係合する。このとき、カバー４の爪部１０が押え部９の本体側爪部１２に引っ掛かるので、本体３とカバー４の係合は容易に外れない。また、以上の説明からも分かるように、この実施形態のコンパクト蛍光灯形ＬＥＤランプは、実際にはカバー４を下向きにして使用されることが多いが、以下に説明する組立工程を理解し易くするためにも、カバー４を上向きにした状態で説明する。
【００１５】
図４は、エンド側キャップ５の外側を示す斜視図、図５は、エンド側キャップ５の内側を示す斜視図である。このエンド側キャップ５は、例えば樹脂製の蓋部材で、カバー４が被せられた本体３の長手方向一方の端部をカバー４ごと閉塞するように被せられるものであり、本体長手方向一方の端面の図示上半部、つまりカバー側半部には、カバー４の内側に差し込まれるガイド部５ａが形成されている。また、このエンド側キャップ５の本体幅方向両端部には、本体３のネジ用溝１３部に相当する位置にネジ用貫通孔１５が形成されている。また、このエンド側キャップ５の本体長手方向一方の端面のうちの図示下方、つまり本体３の支持板３ａ側には、組立時、支持板３ａの上方、つまりＬＥＤ基板２の上面に突出する２本の固定爪１６が形成されている。これらの固定爪１６は、本体３の支持板３ａのＬＥＤ基板搭載面と平行な押え板部１７と、この押え板部１７の上面に突設されたリブ１８を有する。
【００１６】
図６は、ソケット側キャップ６の内側を示す斜視図、図７は、ソケット側キャップ６の外側を示す斜視図である。このソケット側キャップ６は、例えば樹脂製の蓋部材で、カバー４が被せられた本体３の長手方向他方の端部をカバー４ごと閉塞するように被せられるものであり、キャップ本体の本体長手方向一方の端部には、カバー４及び本体３の外周面に被さる縁部６ａが形成されている。また、このソケット側キャップ６の本体長手方向一方の端面のうちの図示下方、つまり本体３の支持板３ａ側には、エンド側キャップ５と同様に、組立時、支持板３ａの上方、つまりＬＥＤ基板２の上面に突出する２本の固定爪１６が形成されている。これらの固定爪１６は、本体３の支持板３ａのＬＥＤ基板搭載面と平行な押え板部１７と、この押え板部１７の上面に突設されたリブ１８を有する。また、キャップ本体の縁部６ａと反対側には、規定されたソケット挿入形状のソケット対応部１９が形成されており、例えば既設の器具本体のソケットにも取付可能としてある。また、このソケット対応部１９の本体幅方向両端部には、本体３のネジ用溝１３部に相当する位置にネジ用貫通孔１５が形成されている。また、このソケット対応部１９の本体幅方向中央部には、前述のようにＪＩＳに規定される同等形状の４本のピン２０、２１が方形の四隅に配置されるようにして外側向きに突設されているが、このうち図７の方形の一つの対角を為す左上と右下のピン２１は樹脂製（非導電性）のダミーピンであり、残りの対角を為す左下と右上のピン２０が金属製（導電性）の接続ピンである。
【００１７】
片側口金に４本のピンを接続するように構成されているのは、コンパクト形蛍光灯の２本のフィラメントを片側で予熱するためである。この実施形態のように、ＬＥＤ基板２用に単一の直流電力を得る場合には、必要な電極は二極でよい。そのため、金属製の接続ピン２０は２ピンだけであり、残りの２ピンは、例えば樹脂製のダミーピン２１であり、２本の金属製（導電性）の接続ピン２０にのみＬＥＤ基板２用の直流電力が供給されるように配線する。しかしながら、合計４本のピンを突設しておくことにより、規定のソケットとの接続（差し込み）が確実になり、また接続後（差し込み後）のランプを安定させることにも繋がる。なお、金属製の２本の接続ピン２０の夫々には配線材２２が接続され、図２にしめすように、それらの配線材２２の端部が接続ピン側コネクタ２３に連結されている。この接続ピン側コネクタ２３には、後述のように、ＬＥＤ基板側コネクタ７が接続されるので、ＬＥＤ基板２のＬＥＤ素子１には接続ピン２０を介して直流電力が供給される。なお、ダミーピン２１は、例えば樹脂製のソケット側キャップ６と一体に形成するようにしてもよい。
【００１８】
この実施形態のコンパクト蛍光灯型ランプを組立てる場合には、例えば図２に示すように、ＬＥＤ基板２の上面に反射板８を搭載した状態で反射板８及びＬＥＤ基板２を本体３の支持板３ａと押え部９との隙間に差し込み、本体３にカバー４を被せて固定し、カバー４と本体３の長手方向一方の端部にエンド側キャップ５を被せた後、エンド側キャップ５のキャップ本体のネジ用貫通孔１５にネジ１４を差し込み、本体３のネジ用溝１３に螺合して締付ける。これにより、本体３、カバー４とエンド側キャップ５とが固定される。次いで、ソケット側キャップ６の接続ピン２０に接続されている接続ピン側コネクタ２３をＬＥＤ基板側コネクタ７に接続した後、カバー４と本体３の長手方向他方の端部にソケット側キャップ６を被せた後、ソケット側キャップ６のソケット対応部１９のネジ用貫通孔１５にネジ１４を差し込み、本体３のネジ用溝１３に螺合して締付ける。これにより、本体３、カバー４とソケット側キャップ６とが固定される。
【００１９】
このネジ用溝１３は、何れも雌ネジが形成されていない。一般に、ネジ１４は鋼（鋼合金）製、この実施形態の本体３はアルミ合金製であるから、ネジ用溝１３の円弧断面の内径が適正であれば、ネジ１４を螺合するだけで、所謂セルフタッピングのように雌ネジを形成しながら締付けることが可能である。これにより、雌ネジを形成する手間が省略されるばかりでなく、例えば押し出し成形で必要断面形状に形成された素材を規定寸法に切断するだけで本体３を製造することができ、その分、歩留まりの向上など、コストの低廉化を図ることができる。勿論、ネジ１４にセルフタッピングネジを用いてもよい。なお、前述のようにエンド側キャップ５及びソケット側キャップ６を規定位置に固定すると、図３に示すように、それらのキャップに形成された固定爪１６の押え板部１７が反射板８及びＬＥＤ基板２の上面に当接し、反射板８及びＬＥＤ基板２が固定される。
【００２０】
この実施形態のコンパクト蛍光灯形ＬＥＤランプは、例えば図３の断面図に示すように、カバー４及び本体３の外形が扁平な長円断面形状となる。これは、本体３の支持板３ａから突設されたフィン８ａ、８ｂの長さが貢献している。前述した特許文献に記載されるＬＥＤランプにも、ＬＥＤ基板放熱用のフィンが形成されている。しかしながら、この従来のＬＥＤランプは、直管蛍光灯（ライン蛍光灯）を模したライン蛍光灯形ＬＥＤランプであるので、全体の断面が円形である。そのため、フィンの基部から突出先端部までの寸法が長かったり、或いは断面形状が放射状に形成されていたりする。フィンの基部から突出先端部までの寸法が必要以上に長いと放熱効率がよくないし、フィンを放射状に形成するのも断面効率がよくない。この実施形態では、前述したように平坦な支持板３ａからフィン８ａ、８ｂを突設することで、本体長手方向に長手なフィン８ａ、８ｂを平行に形成し且つ突出寸法を短尺化が可能である。これにより、フィン８ａ、８ｂによるＬＥＤ基板２の放熱効率を確保することができるほか、コンパクト蛍光灯形ＬＥＤランプの厚さ（高さ方向寸法）を小さくして薄型化することもできる。更には、本体幅方向中央部の中央部フィン８ａのピッチを小さくしてＬＥＤ基板２、特にＬＥＤ素子１からの放熱効率を高めながら、本体幅方向外側部の外側部フィン８ｂのピッチを大きくして軽量化を促進することが可能となる。
【００２１】
このように、この実施形態のコンパクト蛍光灯形ＬＥＤランプでは、器具本体の片側口金ソケットに接続して使用する場合に、本体３の支持板３ａにＬＥＤ基板２を搭載し、その本体３に扁平ドーム形状のカバー４を被せ、カバー４が被せられた本体３の長手方向一方の端部にエンド側キャップ５を取付けると共に他方の端部に、片側口金ソケットに接続されるピンが設けられたソケット側キャップ６を取付ける。本体３の支持板３ａのＬＥＤ基板搭載面と反対側面からは複数のフィン８ａ、８ｂが突設される。これらのフィン８ａ、８ｂは、本体長手方向に長手であり、ＬＥＤ基板２におけるＬＥＤ素子１の形成部位に相当する本体幅方向中央部でピッチが小さく且つ本体幅方向外側部でピッチが大きい。これにより、中央部フィン８ａのピッチを小さくしてＬＥＤ基板２、特にＬＥＤ素子１からの放熱効率を高めながら、外側部フィン８ｂのピッチを大きくして軽量化を促進することを可能とし、合わせてフィン８ａ、８ｂの突出寸法を短尺化を可能とすることでランプ自体の扁平化を促進することができる。
【００２２】
また、カバー４が被せられた状態でのカバー４及び本体３の外形を扁平な長円断面形状とすることで、コンパクト形蛍光灯との置き換えが容易となると共に、違和感がない。
また、規定の円弧断面を有し且つ外部に開口するようにして本体３に形成されたネジ用溝１３にネジ１４を螺合してエンド側キャップ５及びソケット側キャップ６を固定する。そのため、ネジ用溝１３に雌ネジを形成しなくてもエンド側キャップ５及びソケット側キャップ６を固定することが可能となり、これにより製造工数の低減化やコストの低廉化を促進することが可能となる。
【００２３】
また、ネジ用溝１３を本体３の長手方向に沿って本体３の外周面に連続的に形成することにより、押し出し成形などにより必要断面形状に形成された素材を規定寸法に切断するだけで本体３を製造することができ、製造工数の低減化やコストの低廉化を図ることができる。
また、ネジ１４の螺合に伴ってネジ用溝１３に雌ネジがセルフタッピングされるようにすることで、雌ネジ形成工程を省略することができ、製造工数の低減化やコストの低廉化を図ることができる。
【００２４】
また、ソケット側キャップ６に設けられたピン２０、２１は、同等形状の４本のピンであり、４本のピン２０、２１は方形の四隅に配置するようにしてソケット側キャップ６から外部に突設し、方形の一つの対角を為す２本の接続ピン２０を導電性とすると共に残りの対角を為す２本のダミーピン２１を非導電性とする。これにより、規定のソケットに接続するだけでＬＥＤ基板２に必要な直流電力を取得することができると共に、接続後のランプを安定化させることができる。
本発明がここに記載していない様々な実施の形態等を含むことは勿論である。従って、本発明の技術的範囲は上記の説明から妥当な特許請求の範囲に記載された発明特定事項によってのみ定められるものである。
【符号の説明】
【００２５】
１  ＬＥＤ素子
２  ＬＥＤ基板
３  本体
３ａ  支持板
３ｂ  円弧側面部
４  カバー
４ａ  天板
４ｂ  湾曲板
５  エンド側キャップ
５ａ  ガイド部
６  ソケット側キャップ
６ａ  縁部
７  ＬＥＤ基板側コネクタ
８ａ  中央部フィン（フィン）
８ｂ  外側部フィン（フィン）
９  押え部
１０  爪部
１１  係合部
１２  本体側爪部
１３  ネジ用溝
１４  ネジ
１５  ネジ用貫通孔
１６  固定爪
１７  押え板部
１８  リブ
１９  ソケット対応部
２０  接続ピン（導電性のピン）
２１  ダミーピン（非導電性のピン）
２２  配線材
２３  接続ピン側コネクタ
【図１】
0006618296.tif 000002
【図２】
0006618296.tif 000003
【図３】
0006618296.tif 000004
【図４】
0006618296.tif 000005
【図５】
0006618296.tif 000006
【図６】
0006618296.tif 000007
【図７】
0006618296.tif 000008